(57)【要約】      （修正有）【課題】表示パネルが落下した際にも表示パネルの中央付近に大きな応力がかかることを防止する梱包箱、緩衝材、および表示装置を提供する。【解決手段】略四角形の板形状を有し前面に映像を表示する表示パネル４、を有する表示装置３と、前記表示装置の四隅を保護し、前記四隅の頂点から離れた箇所に、前記表示パネルの前方または後方に突出する突起を備える緩衝材２ａ、２ｂ、２ｃ、２ｄと、前記表示装置と前記緩衝材を内包し、前記突起の頂点と接する内面を備える、梱包箱１とする。【選択図】図１
2014097801.tif 000002
【特許請求の範囲】
【請求項１】
略四角形の板形状を有し前面に映像を表示する表示パネル、を有する表示装置と、
前記表示パネルの四隅を保護し、前記四隅の頂点から離れた箇所に、前記表示パネルの前方または後方に突出する突起を備える緩衝材と、
前記表示装置と前記緩衝材を内包し、前記突起と近接する内面を備える、
梱包箱。
【請求項２】
前記緩衝材の前記突起は、前方に突出する、
請求項１記載の梱包箱。
【請求項３】
前記表示装置は横長の略長方形の板形状を有し、
前記突起は前記表示パネルの上端より下部の箇所の前方と、下端より上方の箇所の前方にそれぞれ配置された、
請求項２記載の梱包箱。
【請求項４】
前記表示装置の前面には前記表示パネルの周囲を保護するベゼルが配置され、
前記突起は前記ベゼルの前方に配置された、
請求項３記載の梱包箱。
【請求項５】
表示パネルの四隅を保護し、前記四隅の頂点から離れた箇所に、前記表示パネルの前方または後方に突出する突起を備える、
緩衝材。
【請求項６】
略四角形の板形状を有し前面に映像を表示する表示パネルを備え、
前記表示パネルの四隅の頂点から離れた箇所に前記表示パネルの前方または後方に突出する突起を備える、緩衝材に四隅を保護され、
前記突起の頂点と接する内面を備える梱包箱に梱包される、
表示装置。
【請求項７】
略四角形の板形状を有し前面に映像を表示する表示パネルを有する表示装置を、
前記表示パネルの四隅の頂点から離れた箇所に、前記表示パネルの前方または後方に突出する突起を備える緩衝材によって四隅を保護し、
梱包箱に前記突起と、前記梱包箱の内面が接するように梱包する、
表示装置の梱包方法。
【発明の詳細な説明】
【技術分野】
【０００１】
本発明は緩衝材によって保護された表示装置を梱包する梱包箱、表示装置を保護する緩衝材、緩衝材によって保護された表示装置、に関する。詳しくは、落下時の衝撃によっても表示パネルにかかる応力を低減することの可能な、梱包箱、緩衝材、表示装置、および表示装置の梱包方法に関する。
【背景技術】
【０００２】
近年、液晶パネルやプラズマディスプレイパネルを表示パネルに使用した表示装置、いわゆる薄型テレビの人気が高まっている。
【０００３】
薄型テレビは、一般的に表示パネルの部位が衝撃に弱い。よって、薄型テレビを輸送する際には、緩衝材や梱包箱の形状を工夫して落下の際の衝撃を表示パネルに伝えないための工夫が必要となる。
【０００４】
例えば特許文献１には、従来の薄型テレビにかかる緩衝材、梱包箱の構造が開示されている。すなわち、表示パネルの四隅を緩衝材で覆い、衝撃に対する保護をしている。
【先行技術文献】
【特許文献】
【０００５】
【特許文献１】特開２００８−９４４１３号公報
【発明の概要】
【発明が解決しようとする課題】
【０００６】
近年、技術革新により表示パネルの薄型化が更に進んでいる。特に液晶パネルの分野では、バックライトにＬＥＤ（Ｌｉｇｈｔ  Ｅｍｉｔｔｉｎｇ  Ｄｉｏｄｅ）などの小型の発光素子を用いることによって、劇的に表示パネルの厚みを削減することに成功した。
【０００７】
しかし、このように更に薄くなった表示パネルは、耐落下衝撃性が低下している。従来ならば、表示パネル内には一定の空隙があったので、落下時に表示パネルのたわみが生じて、これが衝撃吸収の役目を果たしていた。しかしながら、近年の表示パネルは、表示パネル内の部品密度が相対的に上昇しており、落下衝撃に弱い。
【０００８】
このような薄い表示パネルに対して、上記従来の技術をもって梱包構造を実現しても、十分に耐衝撃性を確保できないおそれがある。
【０００９】
図６を用いて従来の梱包構造を近年の表示パネルに適用した際の問題点を説明する。図６は従来の梱包構造を近年の表示パネルに適用した際の問題点を説明するための図である。図６（ａ）は従来の梱包構造の外観斜視図である。図６（ｂ）は図６（ａ）で示された断面箇所の断面図である。図６（ｃ）は従来の梱包構造において表示パネルにかかる応力を模式的に表した図である。
【００１０】
図６（ａ）において破線は梱包箱１０１の断面箇所を示している。梱包箱１０１は緩衝材（後述する）と表示パネル（後述する）を内容物として収納する。図面に付した矢印は梱包箱１０１の前後を表している。梱包箱１０１の前面とは内容物である表示パネル（後述する）の前面、すなわち映像の表示される側とする。
【００１１】
図６（ｂ）に示されるように、梱包箱１０１の端部には表示パネル１０２と緩衝材１０３、１０４とが配置されている。緩衝材１０３は表示パネル１０２の右上隅を保護する。緩衝材１０４は表示パネル１０２の右下隅を保護する。
【００１２】
図６（ｃ）に示されるように、表示パネル１０２は落下時に大きな応力を受ける。支点１０５、１０６は梱包箱１０１が梱包箱１０１の前面を底面として落下した際に、地面からの反発力１０７、１０８を受ける箇所である。図６（ｂ）のように内容物が配置された梱包箱１０１が梱包箱１０１の前面を底面として落下すると、支点１０５と支点１０６の間に存在する表示パネルの中央箇所に大きな応力１０９がかかる。
【００１３】
つまり、表示パネルの隅を緩衝材で保護する構造においては、表示パネルが落下した際に緩衝材が支点となって表示パネルの中央付近に大きな応力がかかるという問題がある。
【００１４】
本発明は、上記事情に鑑みてなされたものであって、表示パネルが落下した際にも表示パネルの中央付近に大きな応力がかかることを防止する梱包箱、緩衝材、および表示装置を提供することを目的としている。
【課題を解決するための手段】
【００１５】
前記従来の課題を解決する為に、本発明の梱包箱は、略四角形の板形状を有し前面に映像を表示する表示パネル、を有する表示装置と、前記表示装置の四隅を保護し、前記四隅の頂点から離れた箇所に、前記表示パネルの前方または後方に突出する突起を備える緩衝材と、前記表示装置と前記緩衝材を内包し、前記突起の頂点と接する内面を備える、梱包箱とした。
【００１６】
また、本発明の緩衝材は、表示装置の四隅を保護し、前記四隅の頂点から離れた箇所に、前記表示パネルの前方または後方に突出する突起を備える、緩衝材とした。
【００１７】
また、本発明の表示装置は、略四角形の板形状を有し前面に映像を表示する表示パネルを備え、前記表示パネルの四隅の頂点から離れた箇所に前記表示パネルの前方または後方に突出する突起を備える、緩衝材に四隅を保護され、前記突起の頂点と接する内面を備える梱包箱に梱包される、表示装置とした。
【発明の効果】
【００１８】
本発明によれば、表示装置が落下した際であっても緩衝材において支点となる箇所が表示パネルの中央に近いので、表示パネルの中央にかかる応力を軽減することができる。
【図面の簡単な説明】
【００１９】
【図１】実施の形態１にかかる、梱包箱、緩衝材、および表示装置の斜視図
【図２】実施の形態１にかかる、緩衝材に四隅を保護された表示装置の状態を表す斜視図
【図３】実施の形態１にかかる、表示装置の斜視図
【図４】実施の形態１にかかる、梱包箱に内包された状態での、緩衝材と、表示装置と、梱包箱との位置関係を示す図
【図５】実施の形態１にかかる、梱包箱が落下した際に受ける応力を模式的に表した図
【図６】従来の梱包構造を近年の表示パネルに適用した際の問題点を説明するための図
【発明を実施するための形態】
【００２０】
（実施の形態１）
以下本発明の一実施の形態について図面を参照しながら説明する。
【００２１】
＜構成＞
以下、図面を参照しながら、実施の形態１にかかる梱包箱、緩衝材、および表示装置（以下梱包箱等と省略する）の構成について説明する。
【００２２】
図１を用いて、実施の形態１にかかる梱包箱等の構成について概略を説明する。図１は実施の形態１にかかる梱包箱、緩衝材、および表示装置の斜視図である。なお、梱包箱１は本来、緩衝材２ａ〜２ｄおよび表示装置３を内包するものであるが、ここでは説明の為各構成要素を分離して示した。
【００２３】
梱包箱１は、緩衝材２ａ〜２ｄおよび表示装置３を内包する箱である。梱包箱１は略立方体の形状を有する。梱包箱１の材質はダンボールである。梱包箱１の材質はダンボールに限定されないが、材質の軽さと緩衝性の高さを考慮するとダンボールを用いるのが良い。
【００２４】
緩衝材２ａ〜２ｄは、表示装置の四隅を外部の衝撃から保護するものである。緩衝材は発泡スチロール製である。緩衝材２ａ〜２ｄの材質は発泡スチロールに限定されないが、材質の軽さと緩衝性の高さ、加工の容易度を考慮すると発泡スチロールを用いるのが良い。なお、緩衝材２ａ〜２ｄ以外にも適宜、緩衝材が表示装置の縁を保護する位置に配置される。
【００２５】
表示装置３は、液晶テレビである。表示装置３は、映像を表示する表示パネル４を前面に備える。表示装置３は、液晶テレビに限定されない。要は保護されるべき表示パネルを備えていれば良く、プラズマテレビや、液晶パネル、プラズマディスプレイパネルを表示パネルに用いた汎用ディスプレイなども適用可能である。
【００２６】
表示パネル４は液晶パネルである。表示パネル４は映像を表示することが可能である。また、表示パネル４は横長の略長方形の板形状を有する。表示パネル４は保護基板に封入された液晶と、保護基板を表裏に配置された偏光板とを有する。表示パネル４は、表示装置３と同様に液晶パネルに限られるものではない。表示パネル４としては、液晶パネル、プラズマディスプレイパネル、有機ＥＬ（Ｅｌｅｃｔｒｏ  Ｌｕｍｉｎｅｓｃｅｎｃｅ）なども適用可能である。
【００２７】
図２を用いて、梱包箱１に内包された状態での、緩衝材２ａ〜２ｄと、表示装置３との位置関係について説明する。図２は、実施の形態１にかかる、緩衝材に四隅を保護された表示装置の状態を表す斜視図である。
【００２８】
緩衝材２ａ〜２ｄは、それぞれ表示パネル４の四隅の頂点から離れた箇所に、表示パネル４の前方に突出する突起５ａ〜５ｄを有する。具体的には、突起５ａ〜５ｄが表示パネル４の上端より下部の箇所の前方と、下端より上方の箇所の前方にそれぞれ配置される。また図示されないが、それぞれ表示パネル４の四隅の頂点から離れた箇所に表示パネル４の後方に突出する突起も備える。ここで、突起５ａ〜５ｄが突出する方向は表示パネル４の前方に限られない。つまり、表示パネル４の保護したい面に応じて、前方、後方、あるいは両方に突起を形成しても良い。表示パネル４の前方に突起５ａ〜５ｄを突出させると、表示パネル４の前面、つまり映像を表示する側を保護することになる。表示パネル４の後方に突起５ａ〜５ｄを突出させると表示パネル４の背面、すなわち表示装置３の背面を保護することになる。一般的に、表示パネル４の前面は表示装置３の背面より衝撃に弱い。よって、本実施の形態のように、表示パネル４の前面、つまり映像を表示する側と、突起５ａ〜５ｄの突出の方向を合わせることが望ましい。また、突起５ａ〜５ｄは、表示装置３におけるベゼルの前方に配置されている。図３は、実施の形態１にかかる、表示装置の斜視図である。表示装置３には表示パネル４の周囲を保護するベゼル６が配置される。ベゼル６は一般的に表示パネル４より耐衝撃性に優れる。よって落下時の衝撃を受ける箇所である突起５ａ〜５ｄは、ベゼル６の前方に配置されることが望ましい。もちろん、突起５ａ〜５ｄが必ずしもベゼルの前方に配置される必要は無い。緩衝材２ａ〜２ｄと、表示パネル４と、ベゼル６の強度に応じて適宜配置を変更しても良い。
【００２９】
図４を用いて、梱包箱１に内包された状態での、緩衝材２ａ〜２ｄと、表示装置３と、梱包箱１との位置関係について説明する。図４は、実施の形態１にかかる梱包箱に内包された状態での、緩衝材と、表示装置と、梱包箱との位置関係を示す図である。図４（ａ）は説明の為の断面箇所を表す図である。図４（ｂ）は図４（ａ）で表された断面箇所の断面図である。
【００３０】
図４（ｂ）に示されるように、緩衝材２ａ、２ｂが有する突起５ａ、５ｂの一部は、梱包箱１の内壁と近接する。また、図示されないが、緩衝材２ｃ、２ｄが有する突起５ｃ、５ｄの頂点も、梱包箱１の内面と近接する。この近接の度合いは、梱包箱１が前面または背面を底面にして落下した際の衝撃を突起５ａ〜５ｄが受ける程度であれば良い。もちろん突起５ａ〜５ｄの頂点が梱包箱１の内面と接していても良い。またある程度の距離が空いた状態で梱包箱１に対して緩衝材２ａ〜２ｄの位置が固定されていても、落下した際の衝撃を突起５ａ〜５ｄが受ける程度であれば近接するものと考えられる。
【００３１】
上記のように表示装置３を梱包する方法をまとめると以下のようになる。すなわち、略四角形の板形状を有し前面に映像を表示する表示パネル４を有する表示装置３を、表示パネル４の四隅の頂点から離れた箇所に、表示パネル４の前方または後方に突出する突起５ａ〜５ｄを備える緩衝材２ａ〜２ｄによって四隅を保護し、梱包箱１に突起５ａ〜５ｄと、梱包箱１の内面が接するように梱包することで表示装置３を梱包することができる。
【００３２】
なお、表示装置３の内部には多数の重量物が配置されている。重量物とは具体的に一例を述べると、スピーカーや冷却ファンや、電子部品を搭載した基板などである。その重量物の多くは突起５ａ、突起５ｃの上方、あるいは、突起５ｂ、突起５ｄの下部に配置されている。
【００３３】
＜作用効果＞
上述のように説明した、梱包箱１等の構成に基づく作用効果を説明する。本発明は梱包箱、緩衝材、および表示装置に関するものであるので、緩衝材および表示装置を内包した梱包箱が落下した際に生じる作用効果を説明する。
【００３４】
図５を用いて、梱包箱１が落下した際の作用を示す。図５は、実施の形態１にかかる、梱包箱が落下した際に受ける応力を模式的に表した図である。梱包箱１は、緩衝材２ａ、２ｂと表示装置３とを内包した状態で落下し、地面に衝突する。梱包箱１が地面に衝突した際、突起５ａ、５ｂが地面からの反発力７、８を受ける。地面からの反発力７、８は梱包箱１、緩衝材２ａ、２ｂを介して表示装置３に伝わる。その反発力７、８に対して、突起５ａ、５ｂを支点として応力９、１０、１１が発生する。発生した応力９、１０、１１は梱包箱１、緩衝材２ａ、２ｂを介して表示装置３に伝わる。
【００３５】
表示装置３が応力を受ける箇所は３箇所に分散される。すなわち、表示装置３の隅から突起５ａの間、突起５ａと突起５ｂの間、突起５ｂから表示装置３の他方の隅の間の３箇所である。
【００３６】
応力が分散されるということは、１箇所に応力を受ける場合に比べて、一つ一つの応力が小さくなるということである。図６（ｃ）に示される従来技術では、表示パネル１０２の中心部に応力１０９が集中している。表示パネル１０２と表示装置３とが同じ重量で、梱包箱１の落下速度が同じだとすれば、応力１０９は応力９、１０、１１の総和にほぼ等しい。
【００３７】
表示装置３は板形状であるので、中心部が応力に弱い。表示装置３の中心部にかかる応力１０は、上述のように応力１０９のほぼ３分の１である。しかも、表示装置３の隅は緩衝材２ａ〜２ｂで覆われているので応力に強い。加えて、表示装置３の周囲にはベゼル６が配置されている。
【００３８】
つまり、本実施の形態の梱包箱、緩衝材、および表示装置は、緩衝材に突起を形成して、落下の際に支点となる位置を表示装置の中心寄りに配置することによって、表示装置における応力に弱い箇所にかかる応力を、応力に強い箇所に分散させることができ、表示装置
３の破損を防止するという効果を奏する。
【００３９】
また、その際、突起５ａ〜５ｄの突出する方向を、表示パネル４の面する方向と同一にすると、表示装置３の中でも衝撃に弱い面を保護できるという効果を奏する。
【００４０】
また、本実施の形態のように、表示装置３が横長の略長方形の板形状を有し、突起５ａ〜５ｄが表示パネル４の上端より下部の箇所の前方と、下端より上方の箇所の前方にそれぞれ配置されると、突起５ａ〜５ｄが表示装置３の短軸方向の辺を保護することになる。一般的に表示装置３の長軸方向の辺は、梱包箱１内に別途緩衝材を配置することで保護できる可能性が高い。具体的には底面に緩衝材を配置し、表示装置３を梱包箱１に配置した後に、表示装置３の上方に他の緩衝材を配置するという方法がある。このようにすると、長軸方向の辺の中でも衝撃に弱い中央付近を保護できる。一方で、表示装置３の短軸方向の辺は、このように別途緩衝材を配置することによって、辺の中央付近を保護することが困難である。なぜなら、そのような箇所に緩衝材を配置するには緩衝材を空中で固定する必要があるからである。そこでこのように、突起５ａ〜５ｄが表示装置３の短軸方向の辺を保護することによって、別途緩衝材を配置することなく、表示装置３の衝撃に弱い箇所を保護できるという効果を奏する。
【００４１】
また、上述したように、突起５ａ〜５ｄが、ベゼル６の前方に配置されると、反発力７、８をベゼルが受けるので、表示装置３を保護することができるという効果を奏する。
【００４２】
また、表示装置３内の重量物を突起５ａ、突起５ｃの上方、あるいは、突起５ｂ、突起５ｄの下部に配置すると、表示装置３の中央にかかる応力をさらに軽減できるという効果を奏する。
【００４３】
＜まとめ＞
以上に述べたように、本実施の形態にかかる、梱包箱、緩衝材、表示装置、および表示装置の梱包方法によって、緩衝材に突起を形成して、落下の際に支点となる位置を表示装置の中心寄りに配置することになるので、表示装置における応力に弱い箇所にかかる応力を、応力に強い箇所に分散させることができ、表示装置の破損を防止することができる。
【産業上の利用可能性】
【００４４】
本発明の梱包箱、緩衝材、表示装置、および表示装置の梱包方法は、一例としては、薄型液晶テレビの梱包に関して有用である。
【符号の説明】
【００４５】
１    梱包箱
２ａ、２ｂ、２ｃ、２ｄ    緩衝材
３    表示装置
４    表示パネル
５ａ、５ｂ、５ｃ、５ｄ    突起
６    ベゼル
７、８    反発力
９、１０、１１    応力
１０１    梱包箱
１０２    表示パネル
１０３、１０４    緩衝材
１０５、１０６    支点
１０７、１０８    反発力
１０９    応力
【図１】
2014097801.tif 000003
【図２】
2014097801.tif 000004
【図３】
2014097801.tif 000005
【図４】
2014097801.tif 000006
【図５】
2014097801.tif 000007
【図６】
2014097801.tif 000008